(57)【要約】【課題】簡易な手段で人の興味を引き、これにより利用者の位置を誘導することができるトイレ装置を提供する。【解決手段】便器（２）、及び、便器に配置される誘導手段（１０）を有し、誘導手段は、表示基体と、表示基体に配置される、表示すべき内容である表示体と、表示基体の少なくとも一部に積層される視認規制シートと、を備え、視認規制シートは、該視認規制シートが配置された部位において、所定の範囲から明確に表示体を視認することを可能とし、他の範囲からでは表示体を視認できない又は明確に表示体を視認できなくする構造を具備する。【選択図】図１
2017179975.tif 000002
【特許請求の範囲】
【請求項１】
便器、及び、便器に配置される誘導手段を有し、
前記誘導手段は、
表示基体と、
前記表示基体に配置される、表示すべき内容である表示体と、
前記表示基体の少なくとも一部に積層される視認規制シートと、を備え、
前記視認規制シートは、該視認規制シートが配置された部位において、所定の範囲から明確に前記表示体を視認することを可能とし、他の範囲からでは前記表示体を視認できない又は明確に前記表示体を視認できなくする構造を具備する、トイレ装置。
【請求項２】
前記視認規制シートは、
所定の主切断面を有して延び、当該延びる方向とは異なる方向に間隔を有して配列された光透過部と、
前記光透過部間に形成された光を吸収する間部と、を具備する、請求項１に記載のトイレ装置。
【請求項３】
前記視認規制シートは、
所定の主切断面を有して延び、当該延びる方向とは異なる方向に間隔を有して配列された光透過部と、
前記光透過部間に形成された光を散乱する間部と、を具備する、請求項１に記載のトイレ装置。
【請求項４】
前記視認規制シートは、
所定の主切断面を有して延び、当該延びる方向とは異なる方向に間隔を有して配列された光透過部と、
前記光透過部間に形成された光を屈折する間部と、を具備する、請求項１に記載のトイレ装置。
【発明の詳細な説明】
【技術分野】
【０００１】
本発明は便器を有するトイレ装置に関し、詳しくは、便器に対する人の位置を誘導することができるトイレ装置に関する。
【背景技術】
【０００２】
人を所定の位置に誘導するために、矢印の表示や案内の表示をすることが行われることが多い。便器をみると、従来、便器、特に男性用の小便器では使用者の尿飛散対策として、例えば特許文献１、特許文献２等の技術がある。これらはいずれも、便器に対する立ち位置をより適切にするために人を誘導する手段である。
【先行技術文献】
【特許文献】
【０００３】
【特許文献１】特開２０１２‐２３９８１１号公報
【特許文献２】実用新案登録３１５５７７４号公報
【発明の概要】
【発明が解決しようとする課題】
【０００４】
しかしながら、このような表示をする手段では設置から時間の経過と共に飽きられたり、不特定多数に対しては注意、興味を等しく喚起することができずに無視されてしまったり、設備が大掛かりになったりするという問題があった。また、表示する手段自体の耐久性の他、別途設備を必要とし、定期整備や、構成が複雑になる等の問題もあった。これらは特に不特定多数の利用者がある公衆トイレで顕著となる。
【０００５】
そこで本発明は上記した問題点に鑑み、簡易な手段で人の興味を引き、これにより利用者の位置を誘導することができるトイレ装置を提供することを課題とする。
【課題を解決するための手段】
【０００６】
以下、本発明について説明する。なお、ここでは分かりやすさのために、図面で用いた参照符号を括弧書きで記載する。ただし、本発明は図面に記載の形態に限定されるものではない。
【０００７】
本発明の１つの形態は、便器（２）、及び、便器に配置される誘導手段（１０、１１０、２１０）を有し、誘導手段は、表示基体（１２）と、表示基体に配置される、表示すべき内容である表示体（１３）と、表示基体の少なくとも一部に積層される視認規制シート（２０）と、を備え、視認規制シートは、該視認規制シートが配置された部位において、所定の範囲から明確に表示体を視認することを可能とし、他の範囲からでは表示体を視認できない又は明確に表示体を視認できなくする構造を具備する、トイレ装置（１、１０１、２０１）である。
【０００８】
このトイレ装置（１）の誘導手段（１０）で、視認規制シート（２０）は、所定の主切断面を有して延び、当該延びる方向とは異なる方向に間隔を有して配列された光透過部（２３）と、光透過部間に形成された光を吸収する間部（２４）と、を具備する構造を適用することができる。
【０００９】
または、このトイレ装置（１０１）の誘導手段（１１０）の視認規制シート（１２０）は、所定の主切断面を有して延び、当該延びる方向とは異なる方向に間隔を有して配列された光透過部（２３）と、光透過部間に形成された、光を散乱する間部（１２４）と、を具備する構造としてもよい。
【００１０】
また、このトイレ装置（２０１）の誘導手段（２１０）の視認規制シート（２２０）は、所定の主切断面を有して延び、当該延びる方向とは異なる方向に間隔を有して配列された光透過部（２３）と、光透過部間に形成された、光を屈折する間部（２２４）と、を具備する構造としてもよい。
【発明の効果】
【００１１】
本発明のトイレ装置によれば、簡易な手段で人の興味を引き、これにより利用者を所定の位置に誘導することができ、尿等の便器外への飛散を抑制することが可能となる。
【図面の簡単な説明】
【００１２】
【図１】トイレ装置１の斜視図である。
【図２】トイレ装置１の平面図である。
【図３】誘導手段１０の正面図である。
【図４】誘導手段１０の主切断面図である。
【図５】誘導手段１０の主切断面図を拡大した図である。
【図６】人の誘導について説明する図である。
【図７】誘導手段１１０の主切断面図を拡大した図である。
【図８】誘導手段２１０の主切断面図を拡大した図である。
【発明を実施するための形態】
【００１３】
以下本発明を図面に示す形態に基づき説明する。ただし本発明は当該形態に限定されるものではない。なお、以下に示す図ではわかりやすさのため微小な要素や薄い要素も誇張して大きく、厚く表すことがある。また、繰り返しとなる符号は一部省略している。
【００１４】
図１は１つの形態を説明する図であり、トイレ装置１の斜視図である。図２にはトイレ装置１を上方から見た図となる平面図を表した。図３は、図２の平面図の視点で誘導手段１０に注目した図である。
【００１５】
図１、図２からわかるように、トイレ装置１は便器２及び誘導手段１０を有して構成されている。
【００１６】
本形態で便器２は、男性用トイレに設置された放尿用の便器である。このような便器２としては公知のものを適用することができる。
【００１７】
誘導手段１０は、便器２の上面２ａに設置されており、便器２の利用の際に、利用者が便器２に近づいた位置で利用するように誘導する手段である。図４には、図３にＩＶ−ＩＶで示した線に沿った断面図、図５には図４にＶで囲った部位の図を表した。図３〜図５よりわかるように誘導手段１０は、表示部材１１、及び視認規制シート２０を有して構成されている。
【００１８】
表示部材１１は、表示基体１２と、該表示基体１２に配置された表示事項である表示体１３と、を有して構成されている。
表示基体１２は、表示事項である表示体１３が配置されたものであり、例えば紙、樹脂板、金属板、画像表示装置等の表示媒体を挙げることができる。
そして、表示体１３は、このような表示基体１２に配置された文字、図形、写真、画像等である。
従って表示基体１２が紙、布帛、木板、樹脂板、金属板、陶磁器、硝子、石材、コンクリート等の無機材料からなる板であれば、表示基体１２に文字、図形、写真、及び画像等の表示体１３が印刷により配置される態様が考えられる。また、表示基体１２が液晶表示裝置（ＬＣＤ）、電場発光（ＥＬ）表示裝置、プラズマディスプレイパネル（ＰＤＰ）等の画像表示装置であればそのモニターに文字、図形、写真、画像、或いはこれらの２種類以上の組み合わせ等の表示体１３が表示されることが考えられる。画像は静止画、動画の何れでも良い。
斯かる表示体１３が表示する情報としては、例えば、「一歩前へ」、「所定位置」、等の直接利用者の誘導を促す文言でも良いし、或るいは、利用者の注意、関心を引くような情報、例えば、商品の宣伝広告、標語、ニュース、天気予報等であっても良い。
【００１９】
視認規制シート２０は、表示部材１１のうちの少なくとも一部に貼り付けられ、特に表示体１３が配置された部位の少なくとも一部に被せられるように貼り付けられている。そしてこの視認規制シート２０により、表示部材１１からの反射光、又は表示部材１１からの出射光を後述するように制御して所定の方向に対して制限された態様で光を出射するシートである。視認規制シート２０は、図３〜図５よりわかるように、基材層２１、光制御層２２、及び粘着剤層２５を有して形成されている。
【００２０】
基材層２１は、光制御層２２を形成するための基材となる層であり、透光性を有するとともに、光制御層２２の変形を防止できるように支持する。かかる観点から、基材層２１を構成する材料の具体例として例えば、アクリル樹脂、ポリスチレン、ポリカーボネート樹脂、ポリエチレンテレフタレート等のポリエステル樹脂、ポリアクリロニトリル等のうちの１つ以上を主成分とする透明樹脂や、エポキシアクリレート、ウレタンアクリレート系等のアクリレート系プレポリマー、トリメチロールプロパントリメタクリレート等のアクリル系単量体等の架橋乃至重合反応で高分子化する反応性樹脂を挙げることが出来る。これらは、例えば、紫外線、電子線等の電離放射線の照射により高分子化させて硬化させる電離放射線硬化型樹脂として用いることができる。
【００２１】
基材層２１の厚さは特に限定されないが、２５μｍ以上３００μｍ以下であることが好ましい。基材層２１の厚さがこの範囲を外れると、加工性に問題を生じる虞がある。例えば、基材層２１がこれより薄ければしわが生じやすくなる。また、基材層２１がこれより厚いと、中間工程において巻き取ることが難しくなる虞がある。
【００２２】
光制御層２２は、基材層２１の一方側の面（本形態では表示部材１１側の面）に積層された層で、層面に沿って光透過部２３と間部２４とが交互に配列されている。ここで好ましくは、光透過部と間部の成す面は平坦な平面である。
【００２３】
光制御層２２は、図４、図５に示した断面を有して紙面奥側から手前側向かって延びる形状を備える。すなわち、これらの図で図示するのは、光制御部２２を其の延びる方向と直交する面で切斷した斷面である。斯かる斷面を主切断面と呼稱する。図４、図５に表れる主切断面において、略台形である光透過部２３と、本形態では隣り合う２つの光透過部２３間に形成された主切断面が略台形の間部２４と、を具備している。本形態の間部２４は光を吸収する機能を有している。
ここで本形態では、後述するように便器２の奥行き方向への視野角を制限することで人の行動を誘導する形態としているので、光透過部２３及び間部２４が延びる方向は左右方向（図１〜図３参照、図４、図５の紙面奥／手前方向）となり、光透過部２３と間部２４とが交互に配列される方向が便器１０の奥行き方向（図１〜図５参照）となる。
【００２４】
光透過部２３は光を透過させることを主要の機能とする部位であり、本形態では図４、図５に表れる主切断面において、基材層２１側に長い下底、その反対側（表示部材１１側）に短い上底を有する略台形の主切断面形状を有する要素である。光透過部２３は、基材層２１の層面に沿って当該断面を維持して上記した方向に延びるとともに、この延びる方向とは異なる方向に所定の間隔で配列される。そして、隣り合う光透過部２３の間には、略台形主切断面を有する間隔が形成されている。従って、当該間隔は、光透過部２３の上底側（表示部材１１側）に長い下底を有し、光透過部２３の下底側（基材層２１側）に短い上底を有する台形主切断面を有し、ここに後述する必要な材料が充填されることにより間部２４が形成されている。本形態ではこの間部２４で光が吸収されるように形成されている。なお、本形態では隣り合う光透過部２３は長い下底側で土台部２２ａにより連結されている。
【００２５】
光透過部２３は屈折率がＮｔとされている。このような光透過部２３は、光透過部を構成する組成物を硬化させることにより形成することができる。屈折率Ｎｔの値は特に限定されることはないが、屈折率は１．５５以上であることが好ましい。ただし、屈折率が高すぎる材料は割れやすい場合が多いので屈折率は１．６１以下であることが好ましい。
【００２６】
間部２４は、隣り合う光透過部２３の間に形成された上記した間隔に設けられ、当該間隔の主切断面形状と同様の主切断面形状となる。従って短い上底が基材層２１側を向き、長い下底が表示部材１１側となる。そして間部２４は、屈折率がＮｒとされる。本形態では間部２４は、光を吸収することができるように構成されている。このために例えば屈折率がＮｒであるバインダーに光吸収粒子が分散されることにより形成できる。
【００２７】
屈折率Ｎｒについて、光透過部２３と間部２４との界面で全反射をさせて正面輝度を向上させる場合には、間部２４の屈折率は、光透過部２３の屈折率Ｎｔよりも低い屈折率とされる。このように、間部２４の屈折率を光透過部２３の屈折率より小さくすることにより、所定の条件で光透過部２３に入射した光を間部２４との界面で適切に全反射させることができる。また、全反射条件を満たさない場合にも一部の光は当該界面で反射する。
屈折率Ｎｒの値は特に限定されることはないが、界面で全反射をさせる場合には１．５０以下であることが好ましく、その中でも入手性の観点から１．４７以上が好ましい。
このときの光透過部２３の屈折率Ｎｔと間部２４の屈折率Ｎｒとの屈折率差は特に限定されるものではないが、０．０５以上０．１４以下であることが好ましい。屈折率差を大きくすることにより、より多くの光を全反射させることができる。
【００２８】
一方、光透過部２３と間部２４との界面で全反射をさせることなく光を間部２４で吸収させる場合には、間部２４の屈折率は、光透過部２３の屈折率以上とすればよい。この場合には界面における全反射による正面輝度の更なる向上はないが、正面に対してより狭い範囲にのみ光を出光することができる。
【００２９】
光制御層２２では、特に限定されることはないが、例えば次のように光透過部２３及び間部２４が形成される。すなわち、図５にＰで表した光透過部２３及び間部２４のピッチは２０μｍ以上１００μｍ以下であることが好ましい。また、図５にθで示した間部２４と光透過部２３との界面と、光制御層２２の層面の法線と、の成す角は０°以上１０°以下であることが好ましい。そして図５にＤで示した間部２４の厚さは５０μｍ以上１５０μｍ以下であることが好ましい。
【００３０】
本形態では光透過部２３と間部２４との界面が主切断面において一直線状となる例を示したが、これに限らず折れ線状、凸である曲面状、凹である曲面状等であってもよい。また、複数の光透過部２３及び間部２４で主切断面形状が同じであってもよいし、所定の規則性を有して異なる主切断面形状であってもよい。
【００３１】
粘着剤層２５は、光制御層２２の面のうち、該光制御層２２を挟んで基材層２１とは反対側に積層される粘着剤からなる層である。粘着剤層２５により表示部材１１に視認規制シート２０を貼り付けて固定する。
粘着剤層２５に用いられる粘着剤は透光性を有し、必要な粘着力を有してれば特に限定されることはない。ここで上記の通り、好ましくは本形態の持つ面は平坦であるため、粘着剤層と隙間なく密着する。従って、隙間に生じる空間、または空間部界面反射による光学性能の低下、または隙間への結露による水分の浸透による剥離現象が低減される。
【００３２】
視認規制シート２０は例えば次のように作製できる。
はじめに基材層２１の一方の面に光透過部２３を形成する。これは、光透過部２３の形状が転写できる形状を表面に有する金型ロールと、これに対向するように配置されたニップロールとの間に、基材層２１となる基材シートを挿入する。このとき、基材シートと金型ロールとの間に光透過部を構成する組成物を供給しながら金型ロール及びニップロールを回転させる。これにより金型ロールの表面に形成された光透過部に対応する溝（光透過部形状を反転した形状）に光透過部を構成する組成物が充填され、該組成物が金型ロールの表面形状に沿ったものとなる。
【００３３】
ここで、光透過部を構成する組成物としては、例えば、エポキシアクリレート系、ウレタンアクリレート系、ポリエーテルアクリレート系、ポリエステルアクリレート系、ポリチオール系等の電離放射線硬化型の樹脂を挙げることができる。
【００３４】
金型ロールと基材シートとの間に挟まれ、ここに充填された光透過部を構成する組成物に対し、基材シート側から光照射装置により硬化させるための光を照射する。これにより、組成物を硬化させ、その形状を固定させることができる。そして、離型ロールにより金型ロールから基材層２１および成形された光透過部２３を離型する。
【００３５】
次に、間部２４を形成する。間部２４を形成するには、まず、上記形成した光透過部２３間の間隔に間部２４を構成する組成物を充填する。その後、余剰分の当該組成物をドクターブレード等で掻き落とす。そして、残った組成物に光透過部２３側から紫外線を照射することによって硬化させ、間部２４を形成することができる。
【００３６】
本形態で間部２４は光を吸収するように構成しているので、特に限定されないが、例えば、ウレタン（メタ）アクリレート、ポリエステル（メタ）アクリレート、エポキシ（メタ）アクリレート、およびブタジエン（メタ）アクリレート等の光硬化型樹脂の中に着色された光吸収粒子が分散されている組成物を用いることができる。
【００３７】
また光吸収粒子を分散させる代わりに顔料や染料により間部全体を着色することもできる。
光吸収粒子を用いる場合には、カーボンブラック等の光吸収性の着色粒子が好ましく用いられるが、これらに限定されるものではなく、画像の特性に合わせて特定の波長を選択的に吸収する着色粒子を使用してもよい。具体的には、カーボンブラック、グラファイト、黒色酸化鉄等の金属塩、染料、顔料等で着色した有機微粒子や着色したガラスビーズ等を挙げることができる。特に、着色した有機微粒子が、コスト面、品質面、入手の容易さ等の観点から好ましく用いられる。着色粒子の平均粒子径は１．０μｍ以上２０μｍ以下であることが好ましい。
【００３８】
これにより基材層２１の一方の面に光制御層２２が積層した積層体が作製される。この積層体の光制御層２２の面のうち基材層２１が積層された側とは反対側の面に粘着剤層２５を塗布等により積層して視認規制シート２０を得る。
【００３９】
このような視認規制シート２０は、図１、図２からわかるように、表示部材１１のうち、表示体１３が配置された部位の少なくとも一部に貼り付けられる。このとき、奥行き方向への視野角を制限するときには、光透過部２３、間部２４が延びる方向は左右方向となり、光透過部２３と間部２４とが交互に配列される方向が奥行き方向となるように配置される。すなわち、視野角を制限したい方向に光透過部３３と間部２４とを交互に配列すればよい。
【００４０】
そして、以上説明した誘導手段１０が便器２の上面２ａに貼り付けられる。このときには、誘導手段１０が配置された側が上を向き、その反対側の面が便器２の上面２ａに接着等により固定される。
その際には、本形態では便器２の奥行き方向手前の視野角を制限したいので、光透過部２３、間部２４が延びる方向は左右方向となり、光透過部２３と間部２４とが交互に配列される方向が奥行き方向となるように配置される。
【００４１】
次に、トイレ装置１における主要な光路、及びトイレ装置２により人の行動を誘導する方法について説明する。図６に説明のための図を示した。図６は、トイレ装置１を側面側から見た図で、そのうち、便器２の上部に注目している。なお、図５、図６に示す光路例は概念的なものであり、屈折、反射の程度等を厳密に表したものではない。
【００４２】
表示部材１１の表面で反射した反射光、又は表示部材１１から出射した画像からの光は、図５にＶａで表したように、表示体１３の情報を含んで様々な方向へ向けて進行する。これには、奥行き方向に進む光も含まれる。
【００４３】
このように表示部材１１から出射した光は光制御層２２に達し、その後例えば次のようにして外部に向けて出射される。
図５に示した光Ｌ５１は光透過部２３と間部２４との界面に達することなく光透過部２３を透過して出光した光の光路例である。このような光は光透過部２３と間部２４との界面に達しないような角度、位置で光透過部２３に入光しなければならないので、出光する光は真上に近い角度で進行する。
【００４４】
図５に示した光Ｌ５２、光Ｌ５３は視認規制シート２０の法線方向（厚さ方向）に対して奥行き方向に大きな角度で光透過部２３に入射したため、光透過部２３と間部２４との界面に達した光の光路例である。光透過部２３と間部２４とに屈折率差があり、光透過部２３の方が間部２４よりも屈折率が大きい場合には、図５に光Ｌ５２、光Ｌ５３で示したように、光透過部２３と間部２４との屈折率差、及び光透過部２３と間部２４との界面への光の入射角条件によって、全反射臨界角以上であれば全反射して向きが変えられて出光される。これによれば、奥行き方向に進行する光の向きを真上方向に近づけるように向きを変えることができる。従って、奥行き方向手前からは視認規制シート２０が貼られた部位の表示体１３が見えなくなる。これに加えて、真上方向への光が増えるので、真上方向の輝度が向上し、真上方向から表示体１３を見易くすることができるようになる。
【００４５】
また、光透過部２３と間部２４とに屈折率差があり、光透過部２３の方が間部２４よりも屈折率が大きい場合で、全反射臨界角よりも小さな角度で界面に達した光、又は、光透過部２３の屈折率が間部２４の屈折率以下の場合には、図５に光Ｌ５４に示したように、奥行き方向に進行する光は間部２４に達してここで吸収される。この光についても、奥行き方向手前側からは視認規制シート２０が貼られた部位の表示体１３が見えなくなる。
【００４６】
このような誘導手段１０を備えるトイレ装置１によれば、例えば次のように人の行動を誘導することができる。すなわち、図６に模式的に表したように、誘導手段１０のうち、視認規制シート２０が貼り付けられた部位では、上記のように誘導手段１０の真上から奥行き方向手前に大きくはずれた部位からは、表示体１３（本例では図３に示した「Ｂ」の文字）が見えない。従って、図６にαで示した範囲の外側にいる人Ｈ１にはこの表示体１３が見えないことになる。此のαを視野角とも呼稱する。
【００４７】
このような人Ｈ１は、尿の飛散の観点からさらに便器２に近づいた位置に居ることが求められる。そしてそのような位置に居る人Ｈ１が誘導手段１０を見たとき、視認規制シート２０が配置された部位の表示体１３を見ることができないので、何が表示されているか気になる。すると、これを見るために、人Ｈ１は、図６に人Ｈ１’で示したように、表示体１３が見えるαで示した範囲内に移動する。これにより、この利用者は尿の飛散の観点から誘導手段１０により誘導され、適切な位置に居ることになり、尿の飛散が防止される。
【００４８】
なお、奥行き方向への視野角制御の具体的な角度（視野角αの範囲）は、特に限定されず、必要に応じて設定することができる。これは、光透過部２３、間部２４の大きさや形状、屈折率差等を調整すればよい。
【００４９】
この形態では、視認規制シート２０は表示部材１１の表示面の一部に配置される形態であるが、必ずしもこれに限定されることはなく、表示部材１１の表示面の全体を覆うように視認規制シート２０を配置してもよい。
【００５０】
図７は他の形態の表示物１１０のうち、視認規制シート１２０の形態を説明する図である。図７は図５に相当する図である。トイレ装置１０１の誘導手段１１０では、視認規制シート１２０の光制御層１２２に具備される間部１２４が光を散乱して透過する形態である。その他の部位については上記誘導手段１０と同じ構成を適用することができるのでここでは説明を省略し、間部１２４について説明する。
【００５１】
間部１２４は、本形態ではここに到達した光を散乱して透過する部位である。そして、そのために、間部１２４には、バインダーとなる材料に顔料や粒子を分散させることができる。ここでバインダーは上記した間部２４と同様に考えることが可能である。
顔料は隠蔽性のあるものが好ましく、例えば白色顔料や銀色顔料が挙げられる。白色顔料としては、例えば、酸化チタン、二酸化チタン、酸化マグネシウム、酸化亜鉛などの金属酸化物が挙げられる。一方、銀色顔料としては、例えば、アルミニウム、クロムなどの金属が挙げられる。
粒子についてはバインダーと異なる屈折率を有する粒子であることがよく、例えばガラス粒子や樹脂粒子等が挙げられる。
【００５２】
光透過部２３と間部１２４との界面にて光を全反射させるように構成するか、全反射させる光を少なくして多くの光を間部１２４に進ませるかについては、上記にした光制御層２２の屈折率の考え方と同じである。
また、間部１２４の形状についても間部２４と同様である。
【００５３】
このような誘導手段１１０によれば、表示部材１１の表面で反射した反射光、又は表示部材１１から出射した画像からの光等は、図７にＶＩＩａで表したように、表示体１３の情報を含んで様々な方向へ向けて進行する。これには、奥行き方向手前側に進む光も含まれる。
【００５４】
このように表示部材１１から出射した光は光制御層１２２に達し、その後例えば次のようにして外部に向けて出射される。
図７に示した光Ｌ７１は光透過部２３と間部１２４との界面に達することなく光透過部２３を透過して出光した光の光路例である。このような光は光透過部２３と間部１２４との界面に達しないような角度、位置で光透過部２３に入光しなければならないので、出光する光は真上に近い角度となる。
【００５５】
図７に示した光Ｌ７２、光Ｌ７３は視認規制シート１２０の法線方向（厚さ方向）に対して奥行き方向に大きな角度で光透過部２３に入射したため、光透過部２３と間部１２４との界面に達した光の光路例である。光透過部２３と間部１２４とに屈折率差があり、光透過部２３の方が間部１２４よりも屈折率が大きい場合には、図７に光Ｌ７２、光Ｌ７３で示したように、光透過部２３と間部１２４との屈折率差、及び光透過部２３と間部１２４との界面への光の入射角条件によって、全反射臨界角以上であれば全反射して向きが変えられて出光される。これによれば、奥行き方向手前に進行する光の向きを真上方向に近づけるように向きを変えることができる。従って、このような光については、奥行き方向手前からは視認規制シート１２０が貼られた部位の表示体１３が見えなくなる。これに加えて、真上方向への光が増えるので、真上方向の輝度が向上し、真上方向から適切な像で表示体１３を見易くすることができるようになる。
【００５６】
また、光透過部２３と間部１２４とに屈折率差があり、光透過部２３の方が間部１２４よりも屈折率が大きい場合で、全反射臨界角よりも小さな角度で界面に達した光、又は、光透過部２３の屈折率が間部１２４の屈折率以下の場合には、図７に光Ｌ７４に示したように、奥行き方向手前に進行する光は間部１２４に達してここで散乱して透過する。従って、奥行き方向手前からは視認規制シート１２０が貼られた部位の表示体１３が適切に認識できず、像として不明確となり見え難くなる。
【００５７】
このような視認規制シート１２０を備えるトイレ装置１０１によっても、図６の例に倣って、図６にαで示した範囲の外側にいる人Ｈ１には、視認規制シート１２０が備えられた部位における表示体１３が見え難くなる。
【００５８】
このような人Ｈ１は、誘導手段１１０を見たとき、視認規制シート２０の場合と同様に、表示体１３が明確に見えるαで示した範囲内に移動する。従って、上記したように、利用者を適切な位置にまで誘導することができる。
【００５９】
図８はさらなる他の形態のトイレ装置２０１の誘導手段２１０のうち、視認規制シート２２０の形態を説明する図である。図８は図５に相当する図である。誘導手段２１０では、視認規制シート２２０の光制御層２２２に具備される間部２２４で光を屈折させて透過する形態である。その他の部位については上記誘導手段１０と同じ構成を適用することができるのでここでは説明を省略し、間部２２４について説明する。
【００６０】
間部２２４は、本形態ではここに到達した光を全反射、及び屈折させて透過する部位である。そして、そのために、間部２２４には、光透過部２３の屈折率よりも小さい屈折率の材料を充填することができる。光透過部２３の屈折率よりも小さい屈折率の材料により構成されている。具体的な材料は特に限定されることはないが、気体、液体、固体のいずれでもよく、例えば空気や樹脂等を挙げることができる。樹脂の場合には上記した間部２４、間部１２４のバインダーを用いることが可能である。
また、間部２２４の形状については間部２４と同様である。
【００６１】
このようなトイレ装置２０１の誘導手段２１０によれば、表示部材１１の表面で反射した反射光、又は表示部材１１から出射した画像からの光は、図８にＶＩＩＩａで表したように、表示体１３の情報を含んで様々な方向へ向けて進行する。これには、左右方向に進む光も含まれる。
【００６２】
このように表示部材１１から出射した光は光制御層２２２に達し、その後例えば次のようにして外部に向けて出射される。
図８に示した光Ｌ８１は光透過部２３と間部２２４との界面に達することなく光透過部２３を透過して出光した光の光路例である。このような光は光透過部２３と間部２２４との界面に達しないような角度、方向で光透過部２３に入光しなければならないので、出光する光は真上に近い角度となる。
【００６３】
図８に示した光Ｌ８２、光Ｌ８３は視認規制シート２２０の法線方向（厚さ方向）に対して奥行き方向手前に大きな角度で光透過部２３に入射したため、光透過部２３と間部２２４との界面に達した光の光路例である。このとき光透過部２３と間部２２４との屈折率差、及び光透過部２３と間部２２４との界面への光の入射角条件によって、全反射臨界角以上であれば光Ｌ８２、光Ｌ８３のように全反射して向きが変えられて出光される。これによれば、奥行き方向手前に進行する光の向きを真上方向に近づけるように向きを変えることができる。従って、このような光については、奥行き方向手前からは視認規制シート２２０が貼られた部位の表示体１３が見えなくなる。これに加えて、真上方向への光が増えるので、真上方向の輝度が向上し、真上から適切な像で表示体１３を見易くすることができるようになる。
【００６４】
また、全反射臨界角よりも小さな角度で光透過部２３と間部２２４との界面に達した光は、図８に光Ｌ８４に示したように、奥行き方向手前に進行する光は間部２２４に達してここで屈折をして透過する。従って、奥行き方向手前からは視認規制シート２２０が貼られた部位の表示体１３が適切に認識することができず、像として不明確であり見え難くなる。
【００６５】
このような視認規制シート２２０を備えるトイレ装置２０１によっても、図６の例に倣って、図６にαで示した範囲の外側にいる人Ｈ１には、視認規制シート２２０が備えられた部位における表示体１３が見え難くなる。
【００６６】
このような人Ｈ１は、誘導手段１１０を見たとき、視認規制シート２０の場合と同様に、表示体１３が明確に見えるαで示した範囲内に移動する。従って、上記したように、利用者を適切な位置にまで誘導することができる。
【００６７】
尚、本願発明に於いては、以上説明した代表的実施形態以外にも、本願発明の趣旨を逸脱し無い範囲内で、上記以外の各種実施形態を採用することが出來る。
例えば、視認規制シートとしては、表示体の表示情報を所定の角度範囲からは明確に前記表示体を視認することを可能とし、他の角度範囲からでは前記表示体を視認でき無くすることが可能であれば良い。
視認規制シートとして、以上説明した形態のものに代えて、例えば、主切断面形状が円又は楕円の一部（例えば、半円または半楕円）をなし、該主切断面と直交方向に延びた形状の単位レンズを、互に隣接し且つ其の延びる方向を互に平行にして多数配列した、所謂「レンチキュラーレンズ」を用いることも出來る。
又、視認規制シートとして、以上説明した形態のものに代えて、例えば、３角柱形状の単位プリズムを、互に隣接し且つ其の延びる方向（稜線方向）を互に平行にして多数配列した、所謂「３角プリズム線状配列」を用いることも出來る。其の主切断面形状としては、表示物の設計仕様に応じて、直角２等辺３角形、正３角形等適宜形状とすることが出來る。
【符号の説明】
【００６８】
１、１０１、２０１  トイレ装置
２  便器
１０、１１０、２１０  誘導手段
１１  表示部材
１２  表示基体
１３  表示体
２０、１２０、２２０  視認規制シート
２１  基材層
２２  光制御層
２３  光透過部
２４、１２４、２２４  間部
２５  粘着剤層
【図１】
2017179975.tif 000003
【図２】
2017179975.tif 000004
【図３】
2017179975.tif 000005
【図４】
2017179975.tif 000006
【図５】
2017179975.tif 000007
【図６】
2017179975.tif 000008
【図７】
2017179975.tif 000009
【図８】
2017179975.tif 000010